(57)【要約】      （修正有）【課題】切削液を用いないで行われる石材や木材の切断加工時に飛散する塵埃を吸引しながら集塵する集塵装置を提供する。【解決手段】石材や木材の切断加工時に飛散する塵埃を収容する箱体２に切断加工用の作業台３及びフィルタ板４を設け、上記箱体２に集塵装置の吸気口５ｄを接続するとともに集塵装置の排気口に集塵袋７を接続して、フィルタ板４から吸引した塵埃を集塵袋７に収容する構成とした。【選択図】図１
0003165633.tif 000002
【実用新案登録請求の範囲】
【請求項１】
前壁部、後壁部、一対の側壁部、底面壁部からなり、上面が開口しているとともに前記前壁部に排出孔が設けられている箱体と、
前記箱体の前壁部と一対の側壁部に取付けられて、前記前壁部の上部に延設されるとともに前記前壁部近傍の側壁部の上部に延設されて前記開口の前側を覆うフードと、
前記一対の側壁部上部の各後側において両端縁部が載置され前記箱体の開口の後部を覆う平板状の作業台と、
前記一対の側壁部上部の各前側において両端縁部が載置され前記箱体の開口前部を覆う網目板状のフィルタ板と、
一端部が前記前壁部の排出孔に接続され前記箱体の内部と連通する排塵ホースと、
前記排塵ホースの前記一端の反対側端部に吸気口が接続され前記箱体の内部の塵埃を吸引する集塵器と、
前記集塵器の排気口に接続され前記集塵器で吸引された塵埃を収容する集塵袋と、を備えていることを特徴とする集塵装置。
【考案の詳細な説明】
【技術分野】
【０００１】
本考案は、石材や木材の切断加工に使用される作業台を備えた集塵装置に関するもので、切削液を用いないで行われる石材や木材の切断加工時に飛散する塵埃を吸引しながら集塵する集塵装置に関するものである。
【背景技術】
【０００２】
高速回転する砥石ディスクを備えた砥石切断工具（ライトカッタ、ディスクグラインダ等）は、鋼材の切断を行うのに広く用いられており、切削液を用いないで石材や木材の切断加工に使用される。高速回転する砥石ディスクは、石材や木材の切断加工に使用されると石材や木材から細かな塵埃が砥石ディスクの接線方向に飛散する。砥石ディスクは高速回転しているために、飛散する塵埃も相当遠くにまで達するので、作業の後に集塵装置を用いて清掃しなければならない。
【考案の概要】
【考案が解決しようとする課題】
【０００３】
このように石材や木材の切断作業の際に飛散する塵埃は、作業環境を悪化させるので、飛散した塵埃を直ちに捕捉することが好ましい。そのためには真空集塵装置を砥石切断工具に取り付けて飛散する塵埃を吸引して、捕捉することが考えられ、一部そのような装置も提供されている。しかし砥石切断工具は携帯に便利な小型の加工装置であるので、真空集塵装置を設けると砥石切断工具が大型化してしまい、砥石切断工具の軽便さが失われ、使い勝手が悪くなるという問題があり、改善が望まれていた。
【０００４】
本考案は上記課題を解決するもので、石材や木材の切断加工時に飛散する塵埃を収容する箱体に切断加工用の作業台とともに塵埃を吸引する集塵器を設け、切削液を用いないで行われる石材や木材の切断加工時に飛散する塵埃を吸引しながら集塵する集塵装置を提供するものである。
【課題を解決するための手段】
【０００５】
前記課題を解決するために請求項１記載の考案は、前壁部、後壁部、一対の側壁部、底面壁部からなり、上面が開口しているとともに前記前壁部に排出孔が設けられている箱体と、前記箱体の前壁部と一対の側壁部に取付けられて、前記前壁部の上部に延設されるとともに前記前壁部近傍の側壁部の上部に延設されて前記開口の前側を覆うフードと、前記一対の側壁部上部の各後側において両端縁部が載置され前記箱体の開口の後部を覆う平板状の作業台と、前記一対の側壁部上部の各前側において両端縁部が載置され前記箱体の開口前部を覆う網目板状のフィルタ板と、一端部が前記前壁部の排出孔に接続され前記箱体の内部と連通する排塵ホースと、前記排塵ホースの前記一端の反対側端部に吸気口が接続され前記箱体の内部の塵埃を吸引する集塵器と、前記集塵器の排気口に接続され前記集塵器で吸引された塵埃を収容する集塵袋と、を備えていることを特徴とする集塵装置である。
【考案の効果】
【０００６】
本考案の集塵装置は、石材や木材の切断加工に使用される作業台において、切削液を用いないで行われる石材や木材の切断加工時に発生する加工屑の重いものは集塵用の箱体に落下させるようにし、木屑、石の粉末、破片等の軽くて飛散する塵埃のように軽い加工屑は、吸引しながら集塵し、作業場に塵埃が散乱しないので、狭い室内での切断加工作業をおこなっても作業環境が良好に維持される。
【図面の簡単な説明】
【０００７】
【図１】本考案の実施例１による集塵装置の斜視図である。
【図２】本考案の実施例１による集塵装置の収納状態の斜視図である。
【図３】本考案の実施例１による集塵装置の使用状態の説明図である。
【考案を実施するための形態】
【０００８】
以下、図面に基づいて本考案の実施の形態を説明する。
【実施例１】
【０００９】
図１は、本考案の実施例１による集塵装置の斜視図、図２は、実施例１による集塵装置の収納状態の斜視図、図３は、実施例１による集塵装置の使用状態の説明図である。
【００１０】
図１において、集塵装置１は、上面に開口１ａを有している直方体形状の箱体２と、この箱体２の前側の開口１ａ上に立設されて開口１ａの前側を覆うフード２ａと、箱体２の開口１ａ上に載置される平板状の作業台３および網目板状のフィルタ板４と、箱体２の内部の塵埃を吸引する集塵器５と、箱体２と集塵器５とを接続して箱体２の内部と集塵器５とを連通する排塵ホース６と、集塵器５で吸引された塵埃を収容する集塵袋７とで構成されている。
【００１１】
箱体２は、前壁部２１、後壁部２２、一対の側壁部２３，２４、および、底面壁部２５からなる。そして、前壁部２１には、排出孔２１ａが設けられている。また、箱体２の前壁部２１と一対の側壁部２３，２４には、フード２ａが取付けられている。フード２ａは、箱体２の前壁部２１と一対の側壁部２３，２４に取付けられて、前壁部２１と、側壁部２３，２４における前壁部２１近傍までの範囲の各上部に立設されて開口１ａの前側を覆うように設けられる。
【００１２】
箱体２の開口１ａ上には、平板状の作業台３と網目板状のフィルタ板４とが一対の側壁部２３，２４の上部に載置されている。フィルタ板４の網目模様は、実施例のような四角形の孔が多数並列に連続する模様の他に、多角形の孔が多数並列に連続する模様、蛇行曲線を交差した模様等が利用できる。平板状の作業台３は、両端縁部が一対の側壁部２３，２４の上部の各後側に載置され、また、網目板状のフィルタ板４は、両端縁部が一対の側壁部２３，２４の上部の各前側に載置されている。
【００１３】
集塵器５は、電源釦５ａ、強吸引釦５ｂ、取手５ｃ、吸気口５ｄ、及び排気口５ｅを有し、内部に設けられている図示しない電動ファンを回転させて吸気口５ｄから吸引した空気を排気口５ｅから放出する。排塵ホース６は、一端部６ａが箱体２の前壁部２１に設けられた排出孔２１ａに接続され、一端部６ａと反対側の他端部６ｂが集塵器５の吸気口５ｄに接続されて、箱体２の内部を集塵器５の吸気口５ｄに連通し、箱体２の内部の塵埃を吸引できるようにする。また、集塵器５は、排気口５ｅに集塵袋７の接続部７ａが取り付けられており、吸気口５ｄから吸引された塵埃を排気口５ｅ、接続部７ａを介して集塵袋７に収容する。
【００１４】
本実施例の排気口５ｅは、外部に筒状に所定長さ突出させた形状であるが、所定厚みの受け口形状にして、集塵袋７の接続部７ａを筒状にして接続部７ａを排気口５ｅに差し込む構造とすることもできる。
【００１５】
本考案の集塵装置１は、図２に示すように、箱体２の中に、フード２ａ、作業台３、フィルタ板４、集塵器５、排塵ホース６、集塵袋７の全てを収納することができる。箱体２は、フード２ａ、作業台３、フィルタ板４、集塵器５、排塵ホース６、集塵袋７の他に、必要に応じて、ディスクグラインダ（砥石切断工具）９を収納できるので、石材や木材の切断加工に必要な工具をコンパクトに収納できる。また、重量のある集塵器５は、取手５ｃを掴んで、箱体２の中から容易に取り出すことができるので、集塵装置１は、短時間で設置することができる。
【００１６】
次に、集塵装置１を使用して、ビルやマンションの室内で石材や木材の切断加工を行った場合について、図３を参照して説明する。
【００１７】
図３は、作業者が平板状の作業台３の上に石材８を載置し、ディスクグラインダ９を使用して石材８の切断加工を行う状態を示している。作業者は、集塵器５の電源釦５ａを操作して電源を投入し、ディスクグラインダ９の砥石ディスク９ａを回転させて石材８の切断加工を行う。このとき、石材８の加工屑が発生するが、石の破片のように重い加工屑はフィルタ板４を通過して箱体２に落下する。また、石の塵埃のように軽い加工屑は、フィルタ板４から箱体２内に吸引されるので、フィルタ板４の近傍で石材８の切断加工を行えば、集塵器５が飛散する塵埃を吸引しながら集塵し、作業場に塵埃が散乱せずに良好な作業環境を維持することができる。軽い加工屑の吸引を強くしたいときには、集塵器５の強吸引釦５ｂを操作すればよい。なお、木材の切断加工においても、集塵装置１の作用効果は石材の切断加工と同様であるので説明は省略する。
【符号の説明】
【００１８】
１  集塵装置
１ａ  開口
２  箱体
２ａ  フード
３  作業台
４  フィルタ板
５  集塵器
５ａ  電源釦
５ｂ  強吸引釦
５ｃ  取手
５ｄ  吸気口
５ｅ  排気口
６  排塵ホース
６ａ  一端部
６ｂ  他端部
７  集塵袋
７ａ  吸気パイプ
８  石材
９  ディスクグラインダ
９ａ  砥石ディスク
２１  前壁部
２１ａ  排出孔
２２  後壁部
２３，２４  側壁部
２５  底面壁部
【図１】
0003165633.tif 000003
【図２】
0003165633.tif 000004
【図３】
0003165633.tif 000005